(57)【要約】【課題】コネクタ蓋に防水部材を一体化させて、コネクタ蓋の防水構造の薄型化を実現する。【解決手段】筐体１内に設けられたコネクタ４と、筐体１のコネクタ４と対応する位置に形成された開口１１と、その開口１１を開閉するコネクタ蓋５と、を備える防水構造であって、コネクタ蓋５は、開口１１を覆う形状のカバー部６と、そのカバー部６に開口１１の形状に対応して形成される突起６１と、筐体１への取付部７２を有してカバー部６と一体的に形成される可撓性部材７と、突起６１に一体的に設けられて開口１１を防水して塞ぐ防水部材８と、からなる。【選択図】図４
2010186562.tif 000002
【特許請求の範囲】
【請求項１】
筐体内に設けられたコネクタと、
前記筐体の前記コネクタと対応する位置に形成された開口と、
前記開口を開閉するコネクタ蓋と、を備える防水構造であって、
前記コネクタ蓋は、前記開口を覆う形状のカバー部と、前記カバー部に前記開口の形状に対応して形成される突起と、前記筐体への取付部を有して前記カバー部と一体的に形成される可撓性部材と、前記突起に一体的に設けられて前記開口を防水して塞ぐ防水部材と、からなることを特徴とするコネクタ蓋の防水構造。
【請求項２】
前記突起は、先端部が曲げ部となっていることを特徴とする請求項１に記載のコネクタ蓋の防水構造。
【請求項３】
前記突起は、前記開口に対応する連続形状であり、
前記防水部材は、前記開口に対応する連続形状の前記突起を覆って設けられることを特徴とする請求項１または２に記載のコネクタ蓋の防水構造。
【請求項４】
前記可撓性部材は、前記カバー部に帯状に連続して設けられることを特徴とする請求項１から３のいずれか一項に記載のコネクタ蓋の防水構造。
【請求項５】
前記可撓性部材は、前記カバー部に分割して設けられることを特徴とする請求項１から３のいずれか一項に記載のコネクタ蓋の防水構造。
【請求項６】
前記可撓性部材は、前記防水部材以外の前記カバー部を覆って設けられることを特徴とする請求項１から３のいずれか一項に記載のコネクタ蓋の防水構造。
【請求項７】
前記可撓性部材は、前記突起の周囲に沿って埋設されることを特徴とする請求項１から３のいずれか一項に記載のコネクタ蓋の防水構造。
【請求項８】
前記コネクタ蓋の前記突起の内側に凹部を設けて、その凹部内に前記コネクタを配置することを特徴とする請求項１から３のいずれか一項に記載のコネクタ蓋の防水構造。
【請求項９】
請求項１から８のいずれか一項に記載のコネクタ蓋の防水構造を備えることを特徴とする電子機器。
【発明の詳細な説明】
【技術分野】
【０００１】
本発明は、コネクタ蓋の防水構造と、その防水構造によるコネクタ蓋を備える電子機器に関する。
【背景技術】
【０００２】
携帯端末において、コネクタを開閉するコネクタ蓋が備えられる。例えば特許文献１において、コネクタ用の通信ポートを開閉するコネクタ蓋は、帯状で可撓性のバンド部が裏ケースの背面下部へ小ネジにより止められて紛失の防止が図られ、また、通信ポートを塞ぐ栓部分の周側面には、その全周にわたり小さなリブ形状のシールリング部が形成されていて、コネクタ蓋は、コネクタ用の通信ポートを水密的に密閉するようにしている。
【先行技術文献】
【特許文献】
【０００３】
【特許文献１】特開２００６−８４４３８号公報
【発明の概要】
【発明が解決しようとする課題】
【０００４】
特許文献１のコネクタ蓋は、具体的には、例えばポリカーボネートにより形成される蓋部材の内側にエラストマにより形成されるバンドを２色成形したコネクタ蓋の内側に、例えば耐熱ポリカーボネートにより形成される栓部材の周囲にシリコンラバーにより形成されるシールリングをインサート成形した防水栓を、超音波溶着により一体化した構造となる。
【０００５】
しかし、コネクタ蓋の内側に防水栓があるため、厚みが増えてしまう。
【０００６】
本発明の課題は、コネクタ蓋に防水部材を一体化させて、コネクタ蓋の防水構造の薄型化を実現することである。
【課題を解決するための手段】
【０００７】
以上の課題を解決するため、請求項１に記載の発明は、筐体内に設けられたコネクタと、前記筐体の前記コネクタと対応する位置に形成された開口と、前記開口を開閉するコネクタ蓋と、を備える防水構造であって、前記コネクタ蓋は、前記開口を覆う形状のカバー部と、前記カバー部に前記開口の形状に対応して形成される突起と、前記筐体への取付部を有して前記カバー部と一体的に形成される可撓性部材と、前記突起に一体的に設けられて前記開口を防水して塞ぐ防水部材と、からなることを特徴とする。
【０００８】
請求項２に記載の発明は、請求項１に記載のコネクタ蓋の防水構造であって、前記突起は、先端部が曲げ部となっていることを特徴とする。
【０００９】
請求項３に記載の発明は、請求項１または２に記載のコネクタ蓋の防水構造であって、前記突起は、前記開口に対応する連続形状であり、前記防水部材は、前記開口に対応する連続形状の前記突起を覆って設けられることを特徴とする。
【００１０】
請求項４に記載の発明は、請求項１から３のいずれか一項に記載のコネクタ蓋の防水構造であって、前記可撓性部材は、前記カバー部に帯状に連続して設けられることを特徴とする。
【００１１】
請求項５に記載の発明は、請求項１から３のいずれか一項に記載のコネクタ蓋の防水構造であって、前記可撓性部材は、前記カバー部に分割して設けられることを特徴とする。
【００１２】
請求項６に記載の発明は、請求項１から３のいずれか一項に記載のコネクタ蓋の防水構造であって、前記可撓性部材は、前記防水部材以外の前記カバー部を覆って設けられることを特徴とする。
【００１３】
請求項７に記載の発明は、請求項１から３のいずれか一項に記載のコネクタ蓋の防水構造であって、前記可撓性部材は、前記突起の周囲に沿って埋設されることを特徴とする。
【００１４】
請求項８に記載の発明は、請求項１から３のいずれか一項に記載のコネクタ蓋の防水構造であって、前記コネクタ蓋の前記突起の内側に凹部を設けて、その凹部内に前記コネクタを配置することを特徴とする。
【００１５】
請求項９に記載の発明は、請求項１から８のいずれか一項に記載のコネクタ蓋の防水構造を備える電子機器を特徴とする。
【発明の効果】
【００１６】
本発明によれば、コネクタ蓋に防水部材を一体化できるとともに、コネクタ蓋の防水構造を薄型化することができる。
【図面の簡単な説明】
【００１７】
【図１】本発明を適用した電子機器の一実施形態の構成を示すもので、携帯電話の一筐体を示した斜視図である。
【図２】図１のコネクタ蓋の単品拡大図である。
【図３】図２のコネクタ蓋を内側から見て分解した図である。
【図４】図１の筐体のコネクタ蓋部分の拡大断面図である。
【図５】実施形態２を示すもので、コネクタ蓋を内面側から見た斜視図（ａ）及びその縦断面図（ｂ）である。
【図６】図５のコネクタ蓋の正面図（ａ）及びその横断面図（ｂ）である。
【図７】実施形態３を示すもので、コネクタ蓋を内面側から見た正面図（ａ）及びその縦断面図（ｂ）である。
【図８】実施形態４を示すもので、コネクタ蓋を内面側から見た正面図（ａ）及びその縦断面図（ｂ）である。
【図９】実施形態５を示すもので、コネクタ蓋を内面側から見た正面図（ａ）及びその縦断面図（ｂ）である。
【図１０】実施形態６を示すもので、コネクタ蓋の縦断面図である。
【図１１】実施形態７を示すもので、コネクタ蓋の縦断面図である。
【図１２】実施形態８を示すもので、コネクタ蓋の縦断面図である。
【図１３】実施形態９を示すもので、コネクタ蓋の縦断面図である。
【図１４】実施形態１０を示すもので、コネクタ蓋の縦断面図である。
【発明を実施するための形態】
【００１８】
以下、図を参照して本発明を実施するための形態を詳細に説明する。
（実施形態１）
図１は本発明を適用した電子機器の一実施形態の構成として携帯電話の一筐体を示したもので、１は筐体、２は操作部、３はヒンジ部、５はコネクタ蓋である。
【００１９】
図示のように、筐体１には操作部２及びヒンジ部３が備えられ、ヒンジ部３に図示しない表示部を有する筐体が結合され、図示例では、操作部２を有する筐体１の側面にコネクタ蓋５が備えられている。
【００２０】
図２はコネクタ蓋５を単品状態で拡大したもので、図４はそのコネクタ蓋５を内側から見て分解したものである。コネクタ蓋５は、図示のように、カバー部６、可撓性部材７及び防水部材８から構成される。
【００２１】
図４は筐体１のコネクタ蓋５部分の断面を拡大したもので、４はコネクタである。筐体１内には、その側面に位置するコネクタ４が設けられていて、筐体１の側面には、コネクタ４と対応する開口１１が形成されている。この開口１１にコネクタ蓋５が開閉可能に取り付けられている。
【００２２】
すなわち、コネクタ蓋５は、カバー部６が筐体１の開口１１を覆う形状で、そのカバー部６の内側面には、開口１１の形状に対応する連続形状の突起６１が形成されている。なお、カバー部６の材料としては、インサート成形に耐えられる耐熱性などの理由から、例えば耐熱ポリカーボネート（ＰＣ）が好ましい。また、耐熱ＰＣは塗装が施し難いため、高密着型の塗料によって外観処理を施す。
【００２３】
また、可撓性部材７は、帯状でその一端側にカバー部６との一体的部分７１が形成されて、他端側に筐体１に対する突片形状の取付部７２が形成されている。可撓性部材７の材料としては、例えばラバーまたはエラストマが挙げられる。以上の可撓性部材７は、カバー部６の内側面で連続形状の突起６１の外側に離間して一体的部分７１が囲むように一体成形される。
【００２４】
そして、防水部材８は、筐体１の開口１１を防水して塞ぐもので、カバー部６の突起６１に一体的に設けられてパッキンを形成している。防水部材８の材料としては、例えばラバーまたはエラストマが挙げられる。以上の防水部材８は、カバー部６内側面の連続形状の突起６１及びその内方を覆うように一体成形される。
【００２５】
以上のコネクタ蓋５は、可撓性部材７の帯状部先端に設けた突片形状の取付部７２を、筐体１の開口１１の外方に設けた図示しない凹部等に対し引き出してスライド可能で且つ筐体１から外れないように突片形状により抜け止めして組み付け、図４に示すように、防水部材８を開口１１内に嵌合して圧接させるとともに、その周囲をカバー部６及び可撓性部材７の一体的部分７１により塞いで嵌合する。
【００２６】
以上、実施形態の携帯電話によれば、コネクタ蓋５のカバー部６に一体の突起６１に防水部材８を一体化できるとともに、防水栓が不要となることから、コネクタ蓋５の防水構造を薄型化することができる。
【００２７】
（変形例）
なお、可撓性部材７と防水部材８は同じ材料で一体化したものでもよい。
【００２８】
（実施形態２）
図５及び図６は実施形態２を示すもので、前述した実施形態１と同様、５はコネクタ蓋、６はカバー部、６１は突起、７は可撓性部材、７１は一体的部分、７２は取付部、８は防水部材である。
【００２９】
実施形態２は、図示のように、カバー部６の内側面に、可撓性部材７の一体的部分７１を防水部材８の上方部を除いて下方部及び前後部に帯状に設けたものである。
【００３０】
これによれば、一体成形時の可撓性部材７の材料注入のゲートを１点にして、可撓性部材７の容積を減らす有効な方法となる。
【００３１】
図示例では、可撓性部材７の帯状の一体的部分７１の前後に、筐体１の開口１１をコネクタ蓋５が覆った状態で、開口１１の周囲に嵌合するフック部７３・７４が一体に形成されている。また、防水部材８には溝８１が形成されている。
【００３２】
（実施形態３）
図７は実施形態３を示すもので、前述した実施形態２と同様、５はコネクタ蓋、６はカバー部、７は可撓性部材、７１は一体的部分、７２は取付部、７３はフック部、８は防水部材である。
【００３３】
実施形態３は、図示のように、カバー部６の内側面に、可撓性部材７の一体的部分７１を防水部材８の部分で分割して設けたものである。
【００３４】
これによれば、一体成形時の可撓性部材７の材料注入のゲートは２点必要になるが、可撓性部材７の更なる削減により、コネクタ蓋５の防水構造を小型化することができる。
【００３５】
（実施形態４）
図８は実施形態４を示すもので、前述した実施形態２と同様、５はコネクタ蓋、６はカバー部、７は可撓性部材、７１は一体的部分、７２は取付部、７３はフック部、８は防水部材である。
【００３６】
実施形態４は、図示のように、カバー部６の内側面に、可撓性部材７の一体的部分７１を防水部材８の周囲の全域に渡って設けたものである。
【００３７】
これによれば、カバー６内側面の連続形状の突起６１及びその内方に、防水部材８の接着強化用プライマーを塗布する際の塗布範囲を限定でき、カバー部６の外表面へのプライマーの回り込みを防ぐことができる。
【００３８】
（実施形態５）
図９は実施形態５を示すもので、前述した実施形態２と同様、５はコネクタ蓋、６はカバー部、７は可撓性部材、７１は一体的部分、７２は取付部、７３はフック部、８は防水部材である。
【００３９】
実施形態５は、図示のように、カバー部６の内側面に、可撓性部材７の一体的部分７１を防水部材８の下で連続形状の前記突起６１の周囲に沿って埋設したものである。
【００４０】
これによれば、コネクタ蓋５の防水構造の厚みよりも高さを下げたい場合に有効となる。
【００４１】
（実施形態６）
図１０は実施形態６を示すもので、前述した実施形態１と同様、５はコネクタ蓋、６はカバー部、６１は突起、７は可撓性部材、７１は一体的部分、８は防水部材である。
【００４２】
実施形態６は、図示のように、カバー部６の連続形状の突起６１の先端部を外側への曲げ部６２に形成したものである。
【００４３】
このように、カバー部６に防水部材８を一体化する連続形状の突起６１の先端部を外側への曲げ部６２とすることで、防水部材８を抜け難いものにすることができる。
【００４４】
（実施形態７）
図１１は実施形態７を示すもので、前述した実施形態６と同様、５はコネクタ蓋、６はカバー部、６１は突起、６２は曲げ部、７は可撓性部材、７１は一体的部分、８は防水部材である。
【００４５】
実施形態７は、図示のように、カバー部６の連続形状の突起６１の先端部を外側への曲げ部６２に形成するとともに、防水部材８の外周にカバー部６の内側面に沿って延びる延出部８２を形成したものである。
【００４６】
これによれば、実施形態６と同様の作用効果が得られることに加えて、防水部材８の外周に設けた、カバー部６の内側面に沿って延びる延出部８２により、カバー部６に対する接着面積を増やして、防水部材８を剥がれ難いものにすることができる。
【００４７】
（実施形態８）
図１２は実施形態８を示すもので、前述した実施形態１と同様、５はコネクタ蓋、６はカバー部、６１は突起、７は可撓性部材、７１は一体的部分、８は防水部材である。
【００４８】
実施形態８は、図示のように、連続形状の突起６１を、可撓性部材７と同じラバーまたはエラストマに形成したもので、このラバーまたはエラストマによる連続形状の突起６１を、その内方部をカバー部６の内側面に埋設して一体成形したものである。
そして、このラバーまたはエラストマによる連続形状の突起６１を備えるカバー部６に防水部材８を一体成形している。
【００４９】
このような構成のコネクタ蓋５としてもよい。
【００５０】
（実施形態９）
図１３は実施形態９を示すもので、前述した実施形態１と同様、１は筐体、１１は開口、４はコネクタ、５はコネクタ蓋、６はカバー部、６１は突起、７１は可撓性部材７の一体的部分、８は防水部材である。
【００５１】
実施形態９は、図示のように、カバー部６の連続形状の突起６１の外周側にのみ、筐体１の開口１１に圧接する防水部材８を設けたもので、かつ、連続形状の突起６１の上下間の間隔を極小さくしたものである。
【００５２】
これによれば、コネクタ蓋５の高さの小型化が図れ、これにより、筐体１の厚みの薄型化やデザインの向上が期待できる。
【００５３】
（実施形態１０）
図１４は実施形態１０を示すもので、前述した実施形態１と同様、１は筐体、１１は開口、４はコネクタ、５はコネクタ蓋、６はカバー部、６１は突起、７１は可撓性部材７の一体的部分、８は防水部材である。
【００５４】
実施形態１０は、図示のように、カバー部６の連続形状の突起６１の外周側にのみ、筐体１の開口１１に圧接する防水部材８を設けたもので、かつ、連続形状の突起６１の上下間の間隔を大きくしてその間に凹部６３を形成し、筐体１内のコネクタ４を開口１１より外側に配置して凹部６３内に臨ませたものである。
【００５５】
これによれば、コネクタ蓋５の薄型化により、コネクタ４を外側に配置できるようになり、その結果、コネクタ蓋５の小型化が図れ、また、筐体１の内部スペースが広くなるため、筐体１の小型化が期待できる。
【００５６】
（変形例）
なお、可撓性部材や防水部材の構成は、前述した実施形態１〜８までの構成のいずれかと実施形態９または実施形態１０の蓋形状及び周辺部品配置と組み合わせることも可能であり、そのような組み合わせによってもコネクタ蓋５の防水構造の薄型化が図れる。
【００５７】
（他の変形例）
なお、以上の実施形態においては、携帯電話としたが、本発明はこれに限定されるものではなく、カメラ、ＰＤＡ、ノートパソコン、ウェアラブルパソコン、電卓、電子辞書などのコネクタ蓋を有するもの機器全てに用いることができる。
また、突起は部分的に設けてもよい。
さらに、筐体の開口やコネクタ蓋の形状等も任意であり、その他、具体的な細部構造等についても適宜に変更可能であることは勿論である。
【符号の説明】
【００５８】
１  筐体
１１  開口
４  コネクタ
５  コネクタ蓋
６  カバー部
６１  突起
６２  曲げ部
６３  凹部
７  可撓性部材
７１  一体的部分
７２  取付部
７３  フック部
７４  フック部
８  防水部材
８１  溝
８２  延出部
【図１】
2010186562.tif 000003
【図２】
2010186562.tif 000004
【図３】
2010186562.tif 000005
【図４】
2010186562.tif 000006
【図５】
2010186562.tif 000007
【図６】
2010186562.tif 000008
【図７】
2010186562.tif 000009
【図８】
2010186562.tif 000010
【図９】
2010186562.tif 000011
【図１０】
2010186562.tif 000012
【図１１】
2010186562.tif 000013
【図１２】
2010186562.tif 000014
【図１３】
2010186562.tif 000015
【図１４】
2010186562.tif 000016
【手続補正書】
【提出日】平成21年8月25日(2009.8.25)
【手続補正１】
【補正対象書類名】明細書
【補正対象項目名】００４７
【補正方法】変更
【補正の内容】
【００４７】
（実施形態８）
図１２は実施形態８を示すもので、前述した実施形態１と同様、５はコネクタ蓋、６はカバー部、７は可撓性部材、７１は一体的部分、７９は突起、８は防水部材である。 
【手続補正２】
【補正対象書類名】明細書
【補正対象項目名】００４８
【補正方法】変更
【補正の内容】
【００４８】
実施形態８は、図示のように、連続形状の突起７９を、可撓性部材７と同じラバーまたはエラストマに形成したもので、このラバーまたはエラストマによる連続形状の突起７９を、その内方部をカバー部６の内側面に埋設して一体成形したものである。
そして、このラバーまたはエラストマによる連続形状の突起７９を備えるカバー部６に防水部材８を一体成形している。 
【手続補正３】
【補正対象書類名】明細書
【補正対象項目名】００５８
【補正方法】変更
【補正の内容】
【００５８】
１  筐体
１１  開口
４  コネクタ
５  コネクタ蓋
６  カバー部
６１  突起
６２  曲げ部
６３  凹部
７  可撓性部材
７１  一体的部分
７２  取付部
７３  フック部
７４  フック部
７９  突起
８  防水部材
８１  溝
８２  延出部 
【手続補正４】
【補正対象書類名】図面
【補正対象項目名】図１２
【補正方法】変更
【補正の内容】
【図１２】
2010186562.tif 000017
【手続補正書】
【提出日】平成21年11月26日(2009.11.26)
【手続補正１】
【補正対象書類名】明細書
【補正対象項目名】０００７
【補正方法】変更
【補正の内容】
【０００７】
以上の課題を解決するため、請求項１に記載の発明は、筐体内に設けられたコネクタと、前記筐体の前記コネクタと対応する位置に形成された開口と、前記開口を開閉するコネクタ蓋と、を備える防水構造であって、前記コネクタ蓋は、前記開口を覆う形状のカバー部と、前記カバー部に前記開口の形状に対応して形成される突起と、前記筐体への取付部を有して前記カバー部と一体的に形成される可撓性部材と、前記突起及びその内方を覆うように一体成形されて前記開口を防水して塞ぐ防水部材と、からなることを特徴とする。
【手続補正２】
【補正対象書類名】明細書
【補正対象項目名】０００９
【補正方法】変更
【補正の内容】
【０００９】
請求項３に記載の発明は、請求項１または２に記載のコネクタ蓋の防水構造であって、前記突起は、前記開口に対応する連続形状であることを特徴とする。   
【手続補正３】
【補正対象書類名】明細書
【補正対象項目名】００１４
【補正方法】変更
【補正の内容】
【００１４】
請求項８に記載の発明は、筐体内に設けられたコネクタと、前記筐体の前記コネクタと対応する位置に形成された開口と、前記開口を開閉するコネクタ蓋と、を備える防水構造であって、前記コネクタ蓋は、前記開口を覆う形状のカバー部と、前記開口の形状に対応して形成される連続形状の突起と、前記筐体への取付部を有して前記カバー部と一体的に形成される可撓性部材と、前記突起を覆うように且つ、中央部を凹形状にして一体成形され、前記開口を防水して塞ぐ防水部材と、からなることを特徴とする。
【手続補正４】
【補正対象書類名】特許請求の範囲
【補正対象項目名】全文
【補正方法】変更
【補正の内容】
【特許請求の範囲】
【請求項１】
筐体内に設けられたコネクタと、
前記筐体の前記コネクタと対応する位置に形成された開口と、
前記開口を開閉するコネクタ蓋と、を備える防水構造であって、
前記コネクタ蓋は、前記開口を覆う形状のカバー部と、前記カバー部に前記開口の形状に対応して形成される突起と、前記筐体への取付部を有して前記カバー部と一体的に形成される可撓性部材と、前記突起及びその内方を覆うように一体成形されて前記開口を防水して塞ぐ防水部材と、からなることを特徴とするコネクタ蓋の防水構造。
【請求項２】
前記突起は、先端部が曲げ部となっていることを特徴とする請求項１に記載のコネクタ蓋の防水構造。
【請求項３】
前記突起は、前記開口に対応する連続形状であることを特徴とする請求項１または２に記載のコネクタ蓋の防水構造。
【請求項４】
前記可撓性部材は、前記カバー部に帯状に連続して設けられることを特徴とする請求項１から３のいずれか一項に記載のコネクタ蓋の防水構造。
【請求項５】
前記可撓性部材は、前記カバー部に分割して設けられることを特徴とする請求項１から３のいずれか一項に記載のコネクタ蓋の防水構造。
【請求項６】
前記可撓性部材は、前記防水部材以外の前記カバー部を覆って設けられることを特徴とする請求項１から３のいずれか一項に記載のコネクタ蓋の防水構造。
【請求項７】
前記可撓性部材は、前記突起の周囲に沿って埋設されることを特徴とする請求項１から３のいずれか一項に記載のコネクタ蓋の防水構造。
【請求項８】
筐体内に設けられたコネクタと、
前記筐体の前記コネクタと対応する位置に形成された開口と、
前記開口を開閉するコネクタ蓋と、を備える防水構造であって、
前記コネクタ蓋は、前記開口を覆う形状のカバー部と、前記開口の形状に対応して形成される連続形状の突起と、前記筐体への取付部を有して前記カバー部と一体的に形成される可撓性部材と、前記突起及びその内方を覆うように且つ、中央部を凹形状にして一体成形され、前記開口を防水して塞ぐ防水部材と、からなることを特徴とするコネクタ蓋の防水構造。
【請求項９】
請求項１から８のいずれか一項に記載のコネクタ蓋の防水構造を備えることを特徴とする電子機器。 
【手続補正書】
【提出日】平成22年4月23日(2010.4.23)
【手続補正１】
【補正対象書類名】明細書
【補正対象項目名】０００７
【補正方法】変更
【補正の内容】
【０００７】
以上の課題を解決するため、請求項１に記載の発明は、筐体内に設けられたコネクタと、前記筐体の前記コネクタと対応する位置に形成された開口と、前記開口を開閉するコネクタ蓋と、を備える防水構造であって、前記コネクタ蓋は、前記開口を覆う形状のカバー部と、前記カバー部に前記開口の形状に対応して環状に形成される突起と、前記筐体への取付部を有して前記カバー部と一体的に形成される可撓性部材と、前記環状の突起の外方及びその内方を覆うように前記カバー部と一体成形されて前記開口を防水して塞ぐ防水部材と、からなり、前記防水部材の前記突起の外方に位置する部位には、前記筐体に接触することで防水性を高めるための膨出部が前記環状の突起の外方側に突出するように設けられ、前記防水部材は、ラバーまたはエラストマーから構成されていることを特徴とする。
【手続補正２】
【補正対象書類名】明細書
【補正対象項目名】００１０
【補正方法】変更
【補正の内容】
【００１０】
請求項４に記載の発明は、請求項１から３のいずれか一項に記載のコネクタ蓋の防水構造であって、前記可撓性部材は、前記カバー部が矩形状に形成され、当該カバー部の短辺側の周縁部に帯状に連続して設けられることを特徴とする。
【手続補正３】
【補正対象書類名】明細書
【補正対象項目名】００１１
【補正方法】変更
【補正の内容】
【００１１】
請求項５に記載の発明は、筐体内に設けられたコネクタと、前記筐体の前記コネクタと対応する位置に形成された開口と、前記開口を開閉するコネクタ蓋と、を備える防水構造であって、前記コネクタ蓋は、前記開口を覆う形状のカバー部と、前記カバー部に前記開口の形状に対応して環状に形成される突起と、前記筐体への取付部を有して前記カバー部と一体的に形成される可撓性部材と、前記環状の突起及びその内方を覆うように一体成形されて前記開口を防水して塞ぐ防水部材と、からなり、前記可撓性部材は、前記カバー部の内側面にて分割して設けられることを特徴とする。
【手続補正４】
【補正対象書類名】明細書
【補正対象項目名】００１２
【補正方法】変更
【補正の内容】
【００１２】
請求項６に記載の発明は、請求項５に記載のコネクタ蓋の防水構造であって、前記突起は、先端部が曲げ部となっていることを特徴とする。
【手続補正５】
【補正対象書類名】明細書
【補正対象項目名】００１３
【補正方法】変更
【補正の内容】
【００１３】
請求項７に記載の発明は、請求項５または６に記載のコネクタ蓋の防水構造であって、前記突起は、前記開口に対応する連続形状であることを特徴とする。
【手続補正６】
【補正対象書類名】明細書
【補正対象項目名】００１４
【補正方法】変更
【補正の内容】
【００１４】
請求項８に記載の発明は、請求項１から３のいずれか一項に記載のコネクタ蓋の防水構造であって、前記可撓性部材は、前記防水部材以外の前記カバー部を覆って設けられることを特徴とする。
【手続補正７】
【補正対象書類名】明細書
【補正対象項目名】００１５
【補正方法】変更
【補正の内容】
【００１５】
請求項９に記載の発明は、請求項１から３のいずれか一項に記載のコネクタ蓋の防水構造であって、前記可撓性部材は、前記突起の周囲に沿って埋設されることを特徴とする。
請求項１０に記載の発明は、筐体内に設けられたコネクタと、前記筐体の前記コネクタと対応する位置に形成された開口と、前記開口を開閉するコネクタ蓋と、を備える防水構造であって、前記コネクタ蓋は、前記開口を覆う形状のカバー部と、前記カバー部に前記開口の形状に対応して形成される環状且つ連続形状の突起と、前記筐体への取付部を有して前記カバー部と一体的に形成される可撓性部材と、前記環状の突起の外方及びその内方を覆うように且つ、中央部を前記コネクタを内部に配置する凹形状にして前記カバー部と一体成形され、前記開口を防水して塞ぐ防水部材と、からなり、前記防水部材の前記突起の外方に位置する部位には、前記筐体に接触することで防水性を高めるための膨出部が前記環状の突起の外方側に突出するように設けられ、前記防水部材は、ラバーまたはエラストマーから構成されていることを特徴とする。
請求項１１に記載の発明は、請求項１から１０のいずれか一項に記載のコネクタ蓋の防水構造を備える電子機器を特徴とする。
【手続補正８】
【補正対象書類名】特許請求の範囲
【補正対象項目名】全文
【補正方法】変更
【補正の内容】
【特許請求の範囲】
【請求項１】
筐体内に設けられたコネクタと、
前記筐体の前記コネクタと対応する位置に形成された開口と、
前記開口を開閉するコネクタ蓋と、を備える防水構造であって、
前記コネクタ蓋は、前記開口を覆う形状のカバー部と、前記カバー部に前記開口の形状に対応して環状に形成される突起と、前記筐体への取付部を有して前記カバー部と一体的に形成される可撓性部材と、前記環状の突起の外方及びその内方を覆うように前記カバー部と一体成形されて前記開口を防水して塞ぐ防水部材と、からなり、
前記防水部材の前記突起の外方に位置する部位には、前記筐体に接触することで防水性を高めるための膨出部が前記環状の突起の外方側に突出するように設けられ、前記防水部材は、ラバーまたはエラストマーから構成されていることを特徴とするコネクタ蓋の防水構造。
【請求項２】
前記突起は、先端部が曲げ部となっていることを特徴とする請求項１に記載のコネクタの防水構造。
【請求項３】
前記突起は、前記開口に対応する連続形状であることを特徴とする請求項１または２に記載のコネクタ蓋の防水構造。
【請求項４】
前記可撓性部材は、前記カバー部が矩形状に形成され、当該カバー部の短辺側の周縁部に帯状に連続して設けられることを特徴とする請求項１から３のいずれか一項に記載のコネクタ蓋の防水構造。
【請求項５】
筐体内に設けられたコネクタと、
前記筐体の前記コネクタと対応する位置に形成された開口と、
前記開口を開閉するコネクタ蓋と、を備える防水構造であって、
前記コネクタ蓋は、前記開口を覆う形状のカバー部と、前記カバー部に前記開口の形状に対応して環状に形成される突起と、前記筐体への取付部を有して前記カバー部と一体的に形成される可撓性部材と、前記環状の突起及びその内方を覆うように一体成形されて前記開口を防水して塞ぐ防水部材と、からなり、
前記可撓性部材は、前記カバー部の内側面にて分割して設けられることを特徴とするコネクタ蓋の防水構造。
【請求項６】
前記突起は、先端部が曲げ部となっていることを特徴とする請求項５に記載のコネクタ蓋の防水構造。
【請求項７】
前記突起は、前記開口に対応する連続形状であることを特徴とする請求項５または６に記載のコネクタ蓋の防水構造。
【請求項８】
前記可撓性部材は、前記防水部材以外の前記カバー部を覆って設けられることを特徴とする請求項１から３のいずれか一項に記載のコネクタ蓋の防水構造。
【請求項９】
前記可撓性部材は、前記突起の周囲に沿って埋設されることを特徴とする請求項１から３のいずれか一項に記載のコネクタ蓋の防水構造。
【請求項１０】
筐体内に設けられたコネクタと、
前記筐体の前記コネクタと対応する位置に形成された開口と、
前記開口を開閉するコネクタ蓋と、を備える防水構造であって、
前記コネクタ蓋は、前記開口を覆う形状のカバー部と、前記カバー部に前記開口の形状に対応して形成される環状且つ連続形状の突起と、前記筐体への取付部を有して前記カバー部と一体的に形成される可撓性部材と、前記環状の突起の外方及びその内方を覆うように且つ、中央部を前記コネクタを内部に配置する凹形状にして前記カバー部と一体成形され、前記開口を防水して塞ぐ防水部材と、からなり、
前記防水部材の前記突起の外方に位置する部位には、前記筐体に接触することで防水性を高めるための膨出部が前記環状の突起の外方側に突出するように設けられ、前記防水部材は、ラバーまたはエラストマーから構成されていることを特徴とするコネクタ蓋の防水構造。
【請求項１１】
請求項１から１０のいずれか一項に記載のコネクタ蓋の防水構造を備えることを特徴とする電子機器。